(57)【要約】【課題】上りデータ信号及び下りデータ信号の通信が一定時間途絶えた場合に、送信回路及び受信回路の双方への電力の供給を停止することによって、消費電力を低減するとともに、これら送信回路及び受信回路の長寿命化を実現する。【解決手段】局側装置へ上りデータ信号Ｌ１（Ｓ１）を送信する送信回路１０、局側装置からの下りデータ信号Ｌ２（Ｓ２）を受信する受信回路２０、電源装置５０と接続され、電源装置からの電力を送信回路及び受信回路に供給する制御回路３０、電源装置、及びタイマ６０を具えている。そして、タイマは、上りデータ信号の送信、及び下りデータ信号の受信が双方ともに途絶えた時点からの時間をカウントし、カウントされた第１カウント時間が予め設定された第１時間を満了したときに、制御回路へ第１時間満了信号を送信する。また、制御回路は、第１時間満了信号を受信したとき、送信回路及び受信回路への電力の供給を停止する。【選択図】図２
2010278524.tif 000002
【特許請求の範囲】
【請求項１】
局側装置へ上りデータ信号を送信する送信回路、前記局側装置からの下りデータ信号を受信する受信回路、電源装置と接続され、該電源装置からの電力を前記送信回路及び前記受信回路に供給する制御回路、前記電源装置、及びタイマを具え、
前記タイマは、前記上りデータ信号の送信及び前記下りデータ信号の受信が双方ともに途絶えた時点からの時間をカウントし、該カウントされた第１カウント時間が予め設定された第１時間を満了したときに、前記制御回路へ第１時間満了信号を送信し、
前記制御回路は、前記第１時間満了信号を受信したとき、前記送信回路及び前記受信回路への電力の供給を停止する
ことを特徴とする通信装置。
【請求項２】
請求項１に記載の通信装置であって、
前記タイマは、さらに、前記送信回路及び前記受信回路への電力の供給が停止された時点からの時間をカウントし、該カウントされた第２カウント時間が予め設定された第２時間を満了したときに、前記制御回路へ第２時間満了信号を送信し、
前記制御回路は、さらに、前記第２時間満了信号を受信したとき、前記送信回路及び前記受信回路への電力の供給を開始する
ことを特徴とする通信装置。
【請求項３】
請求項１または２に記載の通信装置であって、
前記第１カウント時間のカウント中に、前記上りデータ信号の送信及び前記下りデータ信号の受信のいずれか一方または双方が行われたとき、
前記タイマは、前記第１カウント時間のカウントを停止する
ことを特徴とする通信装置。
【請求項４】
請求項２または３に記載の通信装置であって、
前記送信回路及び前記受信回路への電力供給の停止中において、前記制御回路へ前記上りデータ信号が入力されたとき、
前記制御回路は、前記送信回路及び前記受信回路への電力の供給を開始し、かつ前記タイマは、前記第２カウント時間のカウントを停止する
ことを特徴とする通信装置。
【発明の詳細な説明】
【技術分野】
【０００１】
この発明は、局側装置と複数の加入者側装置とによって構成される光通信システムにおいて、加入者側装置として用いられる通信装置に関する。
【背景技術】
【０００２】
従来から、１つの局側装置と、分配器を介してこの局側装置と接続された複数の加入者側装置とによって構成されている光通信システムが周知である。近年では、このような光通信システムとして、例えば受動型光加入者ネットワーク（ＰＯＮ: Passive Optical Network）等の、信号媒体として光信号を用いる光通信システムが注目されている。
【０００３】
このような光通信システムにおいて、局側装置が加入者側装置の稼働状態を認識することは可能であるが、加入者側装置の稼働を制御することはできない。従って、加入者側装置が長時間稼働していない状態、すなわち加入者側装置から局側装置への上りデータ信号、及び局側装置から加入者側装置への下りデータ信号の双方の通信が行われていない状態であっても、ユーザが電源を切らない限り加入者側装置は稼働し続ける。そして、加入者側装置において上りデータ信号を送信する送信回路、及び下りデータ信号を受信する受信回路に対して電力が供給され続ける。
【０００４】
ここで、上述した光通信システムにおいて、加入者側装置の、送信回路へ電力を供給する電源装置と受信回路へ電力を供給する電源装置とを、それぞれ独立させて設ける技術が周知である（例えば特許文献１参照）。
【０００５】
特許文献１に開示の通信装置では、上りデータ信号及び下りデータ信号の双方が通信されていない状態が一定時間継続した場合に、送信回路への電力の供給が停止される。これによって、加入者側装置の消費電力を低減するとともに、送信回路の発光素子の消耗を抑え、長寿命化を図ることができる。
【先行技術文献】
【特許文献】
【０００６】
【特許文献１】特開２００５−３５４４８１号公報
【発明の概要】
【発明が解決しようとする課題】
【０００７】
しかしながら、特許文献１に開示された技術では、加入者側装置において、受信回路には常時電力が供給され続ける。そのため、受信回路への消費電力を抑えることができない。
【０００８】
また、特許文献１に開示された技術では、受信回路への電力が常時供給され続けるため、受信回路の受光素子の消耗を抑えることができない。従って、発光素子の消耗が抑制されていても、装置全体としての長寿命化を図ることができない。
【０００９】
そこで、この発明の目的は、上述した光通信システムにおいて、上りデータ信号及び下りデータ信号の通信が一定時間途絶えた場合に、送信回路及び受信回路の双方への電力の供給を停止することによって、消費電力を低減するとともに、これら送信回路及び受信回路の長寿命化を実現する通信装置を提供することにある。
【課題を解決するための手段】
【００１０】
そこで、上述の目的の達成を図るため、この発明によれば、通信装置は以下の特徴を有している。
【００１１】
すなわち、この発明による通信装置は、局側装置へ上りデータ信号を送信する送信回路、局側装置からの下りデータ信号を受信する受信回路、電源装置と接続され、電源装置からの電力を送信回路及び受信回路に供給する制御回路、電源装置、及びタイマを具えている。そして、タイマは、上りデータ信号の送信、及び下りデータ信号の受信が双方ともに途絶えた時点からの時間をカウントし、カウントされた第１カウント時間が予め設定された第１時間を満了したときに、制御回路へ第１時間満了信号を送信する。また、制御回路は、第１時間満了信号を受信したとき、送信回路及び受信回路への電力の供給を停止する。
【発明の効果】
【００１２】
この発明による通信装置では、上述したように、稼働していない状態、すなわち上りデータ信号及び下りデータ信号の双方を通信していない状態が第１時間以上継続した場合において、送信回路及び受信回路の双方への電力供給を停止する。そのため、装置の非稼働時において、送信回路のみならず、受信回路に費やされる電力についても削減することができる。
【００１３】
そして、この発明による通信装置では、装置の非稼働時において、送信回路及び受信回路の双方への電力供給を停止するため、発光素子のみならず、受光素子の消耗についても抑制することができ、その結果、装置全体の長寿命化を実現することができる。
【図面の簡単な説明】
【００１４】
【図１】実施の形態に係る通信装置、及びこの通信装置を含む光通信システムを示すブロック図である。
【図２】実施の形態に係る通信装置の構成を示すブロック図である。
【図３】実施の形態に係る通信装置の動作フローを示す図である。
【図４】実施の形態に係る通信装置の動作の一例を示すタイムチャートである。
【発明を実施するための形態】
【００１５】
以下、図面を参照して、この発明の実施の形態に係る通信装置について説明する。なお、各図は、この発明が理解できる程度に、各構成要素の配置関係を概略的に示してあるに過ぎない。従って、この発明の構成は、何ら図示の構成例にのみ限定されるものではない。
【００１６】
〈実施の形態〉
実施の形態では、送信回路、受信回路、制御回路、電源装置、及びタイマを具える通信装置について説明する。
【００１７】
この実施の形態に係る通信装置は、主に光通信システムにおける加入者側装置として用いられる。そこで、まず、図１を参照して、一例として、この実施の形態に係る通信装置を加入者側装置として使用した光通信システムについて説明する。
【００１８】
図１は、この発明の実施の形態を説明する概略図であり、実施の形態に係る通信装置、及びこの通信装置を含む光通信システムを示すブロック図である。
【００１９】
この構成例の光通信システム１００は、１つの局側装置２００と複数の加入者側装置３００とを具えて構成されている。なお、図１に示すでは、一例として３個の加入者側装置１１１を具える構成例を示している。
【００２０】
局側装置２００は、例えば光シートバス等の分配器４００で分岐された、通信線としての光ファイバ４１０を介して、各加入者側装置３００に接続されている。
【００２１】
また、局側装置２００は、例えばインターネット等の基幹ネットワークに接続されている（図示せず）。
【００２２】
また、各加入者側装置３００は、それぞれ例えばパーソナルコンピュータ等の通信端末に接続されている（図示せず）。
【００２３】
これら局側装置２００と各加入者側装置３００との間では、局側装置２００から加入者側装置３００へ向かう光信号、すなわち下りデータ信号の通信と、加入者側装置３００から局側装置２００へ向かう光信号、すなわち上りデータ信号の通信とが行われる。その結果、基幹ネットワークと各通信端末との間で、パケットの送受信が行われる。なお、この構成例の光通信システム１００では、上りデータ信号及び下りデータ信号ともに、デジタル信号を用いて通信が行われる。
【００２４】
実施の形態に係る通信装置は、例えばこのような光通信システム１００における加入者側装置３００として使用される。
【００２５】
次に、図２を参照して上述した加入者側装置３００、すなわちこの実施の形態に係る通信装置の構成について説明する。
【００２６】
図２は、加入者側装置３００、すなわち実施の形態に係る通信装置の構成を概略的に示すブロック図である。
【００２７】
加入者側装置３００は、送信回路１０、受信回路２０、制御回路３０、電源装置５０、及びタイマ６０を具えている。
【００２８】
送信回路１０及び受信回路２０は、ともに接続部としての第１インタフェース７０において光ファイバ４１０と接続されている。
【００２９】
また、制御回路３０は、接続部としての第２インタフェース８０において通信端末５００と接続されている。
【００３０】
送信回路１０は、上述した局側装置２００（図１参照、以下同様）へ上りデータ信号Ｌ１（Ｓ１）を送信する。
【００３１】
すなわち、通信端末５００から制御回路３０へ入力された電気信号としての上りデータ信号Ｓ１は、制御回路３０の送信制御部３１から送信回路１０へ入力される。そして、上りデータ信号Ｓ１は、例えば図示しないエンコーダ、Ｐ／Ｓ（パラレル／シリアル）変換器、及びＬＤ（レーザダイオード）駆動回路を介して発光素子１１へ入力される。
【００３２】
発光素子１１は、例えばレーザダイオード等であり、第１インタフェース７０を介して光ファイバ４１０と接続されている。そして、上りデータ信号Ｓ１は、この発光素子１１において光信号Ｌ１に変換され、第１インタフェース７０から局側装置２００に送信される。
【００３３】
また、発光素子１１は、上りデータ信号Ｓ１に応じて点灯と消灯が制御される。
【００３４】
受信回路２０は、局側装置２００からの光信号としての下りデータ信号Ｌ２を受信する。
【００３５】
すなわち、受信回路２０は、局側装置２００から第１インタフェース７０に入力された、光信号としての下りデータ信号Ｌ２を、受光素子２１によって受信する。
【００３６】
受光素子２１は、例えばフォトダイオード等であり、受信した下りデータ信号Ｌ２を電気信号に変換する。そして、電気信号に変換された下りデータ信号Ｓ２は、例えば図示しない信号処理部、Ｓ／Ｐ（シリアル／パラレル）変換器、及びデコーダを介して、制御回路３０の受信制御部３５に入力される。
【００３７】
制御回路３０は、電源装置５０に接続されており、この電源装置５０によって電力が供給されている。
【００３８】
また、制御回路３０は、上述した送信制御部３１及び受信制御部３５を具えている。
【００３９】
送信制御部３１は、既に説明したように、通信端末５００から入力された上りデータ信号Ｓ１を送信回路１０に送信する。
【００４０】
また、送信制御部３１は、上りデータ信号Ｓ１を送信回路１０に送信しているとき、上りデータ信号Ｓ１の通信がおこなわれている旨を通知する信号、すなわち送信制御部稼働信号Ｓ３をタイマ６０に送信する。
【００４１】
受信制御部３５は、既に説明したように、受信回路２０によって受信された下りデータ信号Ｓ２を受信する。
【００４２】
また、受信制御部３５は、受信回路２０から下りデータ信号Ｓ２を受信しているとき、下りデータ信号Ｓ２の通信が行われている旨を通知する信号、すなわち受信制御部稼働信号Ｓ４をタイマ６０に送信する。
【００４３】
また、制御回路３０は、電力供給部３７、停止通知信号送信部３９、停止許可信号受信部４１、及び開始通知信号送信部４３を具えている。
【００４４】
電力供給部３７は、電源装置５０から供給された電力Ｅを、送信回路１０及び受信回路２０に供給する。
【００４５】
停止通知信号送信部３９は、制御回路３０が、タイマ６０から後述する第１時間満了信号Ｓ５を受信したとき、電力供給部３７から送信回路１０及び受信回路２０への電力供給を停止する旨の信号、すなわち停止通知信号Ｓ６を局側装置２００（図１参照）へ送信する。停止通知信号Ｓ６は、上述した上りデータ信号Ｓ１と同様に、送信制御部３１から送信回路１０に入力され、送信回路１０から局側装置２００へ、光信号の形態の停止通知信号Ｌ３として送信される。
【００４６】
停止許可信号受信部４１は、上述した停止通知信号Ｓ６に対する応答信号として、局側装置２００から送信される停止許可信号Ｓ７を受信する。この停止許可信号Ｓ７は、上述した下りデータ信号Ｌ２と同様に、光信号の停止許可信号Ｌ４として受信回路２０によって受信されて電気信号に変換され、受信制御部３５に入力される。そして、受信制御部３５から停止許可信号受信部４１に入力される。
【００４７】
そして、停止許可信号受信部４１が停止許可信号Ｓ７を受信したとき、電力供給部３７は、送信回路１０及び受信回路２０への電力Ｅの供給を停止する。
【００４８】
また、停止許可信号受信部４１が停止許可信号Ｓ７を受信したとき、すなわち電力供給部３７が送信回路１０及び受信回路２０への電力の供給を停止するとき、制御回路３０は、後述する第２カウント時間のカウントを開始させる信号、すなわちカウント開始信号Ｓ８をタイマ６０へ送信する。
【００４９】
また、電力供給部３７は、送信回路１０及び受信回路２０への電力供給の停止中において、制御回路３０が、タイマ６０から後述する第２時間満了信号Ｓ９を受信したとき、送信回路１０及び受信回路２０への電力Ｅの供給を開始する。
【００５０】
開始通知信号送信部４３は、第２時間満了信号Ｓ９によって、電力供給部３７から送信回路１０及び受信回路２０への電力Ｅの供給が開始されたとき、この電力供給開始を通知する信号、すなわち開始通知信号Ｓ０を局側装置２００へ光信号としての開始通知信号Ｌ０として送信する。開始通知信号Ｓ０は、上述した上りデータ信号Ｓ１と同様に、送信制御部３１から送信回路１０に入力され、送信回路１０から局側装置２００へ光信号である開始通知信号Ｌ０として送信される。
【００５１】
なお、送信回路１０及び受信回路２０への電力供給の停止中において、通信端末５００から加入者側装置３００に上りデータ信号Ｓ１が入力されたときには、電力供給部３７は、直ちに送信回路１０及び受信回路２０への電力Ｅの供給を開始する。そして、送信回路１０は、送信制御部３１から入力された上りデータ信号Ｓ１を光信号に変換して上りデータ信号Ｌ１として送信する。
【００５２】
タイマ６０は、第１カウンタ部６１、第１時間満了信号送信部６３、第２カウンタ部６５、及び第２時間満了信号送信部６７を具えている。
【００５３】
第１カウンタ部６１は、上りデータ信号Ｓ１（Ｌ１）の送信及び下りデータ信号Ｓ２（Ｌ２）の受信が双方ともに途絶えた時点からの経過時間、すなわち第１カウント時間をカウントする。
【００５４】
既に説明したように、送信制御部３１は、上りデータ信号Ｓ１を送信回路１０に送信しているとき、送信制御部稼働信号Ｓ３をタイマ６０に送信する。また、受信制御部３５は、受信回路２０から下りデータ信号Ｓ２を受信しているとき、受信制御部稼働信号Ｓ４をタイマ６０に送信する。そして、タイマ６０は、これら送信制御部稼働信号Ｓ３及び受信制御部稼働信号Ｓ４を受信することによって、上りデータ信号Ｓ１（Ｌ１）の送信及び下りデータ信号Ｓ２（Ｌ２）の受信が行われていることを認識している。従って、タイマ６０は、送信制御部稼働信号Ｓ３及び受信制御部稼働信号Ｓ４の双方の受信が途絶えた時点を、上りデータ信号Ｓ１（Ｌ１）の送信及び下りデータ信号Ｓ２（Ｌ２）の受信が双方ともに途絶えた時点として認識し、第１カウント時間のカウントを開始する。
【００５５】
そして、第１時間満了信号送信部Ｓ３は、カウントされた第１カウント時間が予め設定された第１時間を満了したときに、第１時間満了信号Ｓ５を制御回路３０に送信する。
【００５６】
なお、第１カウンタ部６１が第１カウント時間をカウントしている間に、上りデータ信号Ｓ１（Ｌ１）の送信及び下りデータ信号Ｓ２（Ｌ２）の受信のいずれか一方または双方が行われたときには、タイマ６０は、第１カウント時間のカウントを停止する。
【００５７】
すなわち、第１カウント時間のカウント中において、加入者側装置３００が上りデータ信号Ｓ１（Ｌ１）を送信する場合には、送信制御部３１から送信制御部稼働信号Ｓ３が、加入者側装置３００が下りデータ信号Ｓ２（Ｌ２）を受信する場合には、受信制御部３５から受信制御部稼働信号Ｓ４が、また、加入者側装置３００が上りデータ信号Ｓ１（Ｌ１）の送信及び下りデータ信号Ｓ２（Ｌ２）の受信の双方を行うときには、送信制御部稼働信号Ｓ３及び受信制御部稼働信号Ｓ４がタイマ６０に送信される。そして、タイマ６０は、これら送信制御部稼働信号Ｓ３及び受信制御部稼働信号Ｓ４の一方または双方を受信した時点で、第１カウンタ部６１のカウントを停止し、カウントした第１カウント時間をリセットする。
【００５８】
ここで、第１時間は、加入者側装置３００、及びこの加入者側装置３００が含まれる光通信システムの例えば用途または使用環境等に応じて、任意好適に設定される。
【００５９】
第２カウンタ部６５は、送信回路１０及び受信回路２０への電力Ｅの供給が停止された時点からの経過時間、すなわち第２カウント時間をカウントする。
【００６０】
既に説明したように、タイマ６０は、電力供給部３７が送信回路１０及び受信回路２０への電力Ｅの供給を停止するとき、制御回路３０からカウント開始信号Ｓ８を受信する。そして、このカウント開始信号Ｓ８を受信することによって、送信回路１０及び受信回路２０への電力Ｅの供給が停止された時点を認識し、第２カウント時間のカウントを開始する。
【００６１】
そして、第２時間満了信号送信部６７は、このカウントされた第２カウント時間が予め設定された第２時間を満了したときに、第２時間満了信号Ｓ９を制御回路３０に送信する。
【００６２】
なお、第２カウンタ部６５が第２カウント時間をカウントしている間、すなわち送信回路１０及び受信回路２０への電力供給の停止中において、通信端末５００から加入者側装置３００に上りデータ信号Ｓ１が入力されたときには、既に説明したように、制御回路３０の電力供給部３７は、直ちに送信回路１０及び受信回路２０への電力Ｅの供給を開始し、送信回路１０は光信号の形態で入力された上りデータ信号Ｌ１を送信する。
【００６３】
このとき、制御回路３０は、送信制御部３１から送信制御部稼働信号Ｓ３をタイマ６０へ送信する。そして、この送信制御部稼働信号Ｓ３を受信したタイマ６０は、第２カウンタ部６５のカウントを停止し、カウントされた第２カウント時間をリセットする。
【００６４】
ここで、第２時間は、上述した第１時間と同様に加入者側装置３００、及びこの加入者側装置３００が含まれる光通信システムの例えば用途または使用環境等に応じて、任意好適に設定される。
【００６５】
次に、図３を参照して上述した加入者側装置３００、すなわちこの実施の形態に係る通信装置の動作について説明する。
【００６６】
図３は、加入者側装置３００、すなわち実施の形態に係る通信装置の動作フローを示す図である。
【００６７】
上りデータ信号Ｓ１（Ｌ１）の送信及び下りデータ信号Ｓ２（Ｌ２）の受信のいずれか一方、または双方が行われている加入者側装置３００において、まず、第１過程Ｓ１１０では、上りデータ信号Ｌ１及び下りデータ信号Ｌ２の通信が継続しているか否かを判断する。
【００６８】
この過程では、加入者側装置３００は、送信制御部３１が送信回路１０へ上りデータ信号Ｓ１を送信していることを以って、上りデータ信号Ｌ１の送信が行われていることを認識する。また、加入者側装置３００は、受信制御部３５が受信回路２０から下りデータ信号Ｓ２を受信していることを以って、下りデータ信号Ｌ２の受信が行われていることを認識する。
【００６９】
そして、上りデータ信号Ｌ１の送信及び下りデータ信号Ｌ２の受信のいずれか一方、または双方が行われている場合（Ｙｅｓ）には、これら上りデータ信号Ｌ１の送信及び下りデータ信号Ｌ２の受信を続行する。一方、上りデータ信号Ｌ１の送信及び下りデータ信号Ｌ２の受信の双方がともに途絶えた場合（Ｎｏ）には、続く第２過程Ｓ１２０に移行する。
【００７０】
次に、第２過程Ｓ１２０では、タイマ６０の第１カウンタ部６１が、上りデータ信号Ｌ１（Ｓ１）の送信及び下りデータ信号Ｌ２（Ｓ２）の受信が双方ともに途絶えた時点からの経過時間、すなわち第１カウント時間Ｔ１のカウントを開始する。
【００７１】
既に説明したように、送信制御部３１は、上りデータ信号Ｓ１を送信回路１０に送信しているとき、送信制御部稼働信号Ｓ３をタイマ６０に、また、受信制御部３５は、受信回路２０から下りデータ信号Ｓ２を受信しているとき、受信制御部稼働信号Ｓ４をタイマ６０に送信する。そして、この第２過程Ｓ１２０において、タイマ６０は、これら送信制御部稼働信号Ｓ３及び受信制御部稼働信号Ｓ４の双方の受信が途絶えた時点を、上りデータ信号Ｌ１及び下りデータ信号Ｌ２の通信が双方ともに途絶えた時点として認識し、第１カウント時間Ｔ１のカウントを開始する。
【００７２】
第１カウンタ部６１が第１カウント時間Ｔ１をカウントしている間に、上りデータ信号Ｌ１の送信及び下りデータ信号Ｌ２の受信のいずれか一方または双方が行われたときには、第３過程Ｓ１３０において、タイマ６０が第１カウント時間Ｔ１のカウントを停止する。
【００７３】
既に説明したように、第１カウント時間Ｔ１のカウント中において、加入者側装置３００が上りデータ信号Ｓ１（Ｌ１）を送信する場合には、送信制御部３１から送信制御部稼働信号Ｓ３が、加入者側装置３００が下りデータ信号Ｓ２（Ｌ２）を受信する場合には、受信制御部３５から受信制御部稼働信号Ｓ４が、また、加入者側装置３００が上りデータ信号Ｓ１（Ｌ１）の送信及び下りデータ信号Ｓ１（Ｌ２）の受信の双方を行うときには、送信制御部稼働信号Ｓ３及び受信制御部稼働信号Ｓ４がタイマ６０に送信される。
【００７４】
そして、第３過程Ｓ１３０では、タイマ６０がこれら送信制御部稼働信号Ｓ３及び受信制御部稼働信号Ｓ４の一方または双方を受信した場合（Ｙｅｓ）には、加入者側装置３００は、上りデータ信号Ｓ１（Ｌ１）の送信及び下りデータ信号Ｓ２（Ｌ２）の受信を行い、第１過程Ｓ１１０に移行する。このとき、タイマ６０は、第１カウンタ部６１のカウントを停止し、カウントした第１カウント時間Ｔ１をリセットする。
【００７５】
一方、第１カウント時間Ｔ１のカウント中において、上りデータ信号Ｓ１（Ｌ１）の送信及び下りデータ信号Ｓ２（Ｌ２）の受信のいずれも行われない場合（Ｎｏ）には、第１カウンタ部６１は、第１カウント時間Ｔ１のカウントを続行する。
【００７６】
次に、第４過程Ｓ１４０では、タイマ６０は、第１カウンタ部６１がカウントする第１カウント時間Ｔ１が、予め設定された第１時間を満了したか否かを判断する。
【００７７】
第１カウント時間Ｔ１が第１時間を満了した場合（Ｙｅｓ）には、第１カウンタ部６１は、第１カウント時間Ｔ１のカウントを停止する。そして、タイマ６０は、第１時間満了信号送信部６３によって第１時間満了信号Ｓ５を制御回路３０に送信する。一方、第１カウント時間Ｔ１が第１時間を満了していない場合（Ｎｏ）には、第１カウンタ部６１は、第１カウント時間Ｔ１のカウントを続行する。
【００７８】
次に、第５過程Ｓ１５０では、上述の第１時間満了信号Ｓ５を受信した制御回路３０が、停止通知信号送信部３９によって、停止通知信号Ｓ６を局側装置２００へ光信号の停止通知信号Ｌ３として送信する。既に説明したように、停止通知信号Ｓ６は、送信制御部３１から送信回路１０に入力されて光信号に変換され、送信回路１０から局側装置２００へ停止通知信号Ｌ３として送信される。
【００７９】
次に、第６過程Ｓ１６０では、制御回路３０の停止許可信号受信部４１が、上述した停止通知信号Ｓ６（Ｌ３）に対する応答信号として局側装置２００から送信される光信号の停止許可信号Ｌ４を受信する。既に説明したように、停止許可信号Ｌ４は、受信回路２０によって受信されて電気信号Ｓ７に変換され、受信制御部３５に入力される。そして、この停止許可信号Ｓ７は、受信制御部３５から停止許可信号受信部４１に入力される。
【００８０】
次に、第７過程Ｓ１７０では、電力供給部３７が送信回路１０及び受信回路２０への電力Ｅの供給を停止する。このとき、制御回路３０は、カウント開始信号Ｓ８をタイマ６０へ送信する。
【００８１】
次に、第８過程Ｓ１８０では、送信回路１０及び受信回路２０への電力Ｅの供給が停止された時点からの経過時間、すなわち第２カウント時間Ｔ２をカウントする。
【００８２】
すなわち、タイマ６０は、電力供給部３７が送信回路１０及び受信回路２０への電力Ｅの供給を停止した時点で、制御回路３０から上述したカウント開始信号Ｓ８を受信する。そして、このカウント開始信号Ｓ８を受信することによって、送信回路１０及び受信回路２０への電力Ｅの供給が停止された時点を認識し、第２カウンタ部６５によって第２カウント時間Ｔ２のカウントを開始する。
【００８３】
第２カウンタ部６５が第２カウント時間Ｔ２をカウントしている間、すなわち送信回路１０及び受信回路２０への電力供給の停止中において、通信端末５００から加入者側装置３００に上りデータ信号Ｓ１が入力されたときには、電力供給部３７は、直ちに送信回路１０及び受信回路２０への電力Ｅの供給を開始し、送信回路１０は入力された上りデータ信号Ｓ１を光信号Ｌ１として送信する。
【００８４】
すなわち、第９過程Ｓ１９０において、制御回路３０は、通信端末５００から加入者側装置３００に上りデータ信号Ｓ１が入力された場合（Ｙｅｓ）には、後述する第１１過程Ｓ２１０に移行し、電力供給部３７によって、送信回路１０及び受信回路２０への電力Ｅの供給を開始する。そして、送信制御部３１は、入力された上りデータ信号Ｓ１を送信回路１０に送信する。このとき、送信制御部３１は、送信制御部稼働信号Ｓ３をタイマ６０へ送信する。そして、この送信制御部稼働信号Ｓ３を受信したタイマ６０は、第２カウンタ部６５のカウントを停止し、カウントされた第２カウント時間Ｔ２をリセットする。
【００８５】
一方、第２カウント時間Ｔ２のカウント中において、通信端末５００から加入者側装置３００に上りデータ信号Ｓ１が入力されない場合（Ｎｏ）には、第２カウンタ部６５は、第２カウント時間Ｔ２のカウントを続行する。
【００８６】
次に、第１０過程Ｓ２００では、タイマ６０は、第２カウンタ部６５がカウントする第２カウント時間Ｔ２が、予め設定された第２時間を満了したか否かを判断する。
【００８７】
第２カウント時間Ｔ２が第２時間を満了した場合（Ｙｅｓ）には、第２カウンタ部６５は、第２カウント時間Ｔ２のカウントを停止する。そして、タイマ６０は、第２時間満了信号送信部６７によって第２時間満了信号Ｓ９を制御回路３０に送信する。一方、第２カウント時間Ｔ２が第２時間を満了していない場合（Ｎｏ）には、第２カウンタ部６５は、第２カウント時間Ｔ２のカウントを続行する。
【００８８】
次に、第１１過程Ｓ２１０では、上述の第２時間満了信号Ｓ９を受信した制御回路３０が、電力供給部３７によって、送信回路１０及び受信回路２０への電力Ｅの供給を開始する。そして、制御回路３０は、開始通知信号送信部４３によって、開始通知信号Ｓ０（Ｌ０）を局側装置２００へ送信する。電気信号としての開始通知信号Ｓ０は、既に説明したように、送信制御部３１から送信回路１０に入力されて光信号に変換され、送信回路１０から局側装置２００へ開始通知信号Ｌ０として送信される。
【００８９】
この実施の形態では、加入者側装置３００は、装置自体の電源がオンとなっている限り、上述した第１過程Ｓ１１０から第１１過程Ｓ２１０まで、すなわち、図３に示す開始から終了までの動作フローを繰り返す。従って、加入者側装置３００は、上述した第１１過程Ｓ２１０を行った後、再び第１過程Ｓ１１０に移行する。
【００９０】
なお、上述した制御回路３０における送信制御部３１、受信制御部３５、電力供給部３７、停止通知信号送信部３９、停止許可信号受信部４１、及び開始通知信号送信部４３は、好ましくは、マイクロコンピュータでプログラムを実行したときの機能手段として、マイクロコンピュータに構築されるのがよい。
【００９１】
次に、図４を参照して、加入者側装置３００、すなわち実施の形態に係る通信装置の各構成間において送受信される信号、制御回路３０から送信回路１０及び受信回路２０への電力供給の停止及び開始、上述した第１カウント時間及び第２カウント時間のカウントの開始及び停止のタイミングを相関的に説明する。
【００９２】
図４は、加入者側装置３００、すなわち実施の形態に係る通信装置の動作の一例を示すタイムチャートである。
【００９３】
この図４では、横軸は時間軸を、また、縦軸は信号レベル、電力供給の有無、または第１カウント時間及び第２カウント時間のカウントが行われているか否かを示している。また、Ａ〜Ｄはそれぞれ図２に矢印で示した信号の送受信線に、また、Ｅは図２に直線で示した電力の供給線に対応している（図２参照）。すなわち、図４におけるＡは上りデータ信号Ｓ１を、Ｂは下りデータ信号Ｓ２を、Ｃは停止通知信号Ｓ６を、Ｄは停止許可信号Ｓ７を、Ｅは制御回路３０から送信回路１０及び受信回路２０への電力供給の有無を、Ｔ１は第１カウント時間Ｔ１のカウントが行われているか否かを、Ｔ２は第２カウント時間Ｔ２のカウントが行われているか否かを、それぞれ時間経過に沿って示している。
【００９４】
以下、図２及び図４を参照して通信装置の動作の一例を説明する。
【００９５】
まず、ｔ０において、上りデータ信号Ａは送信しておらず、停止通知信号Ｃ及び停止許可信号Ｄは発生しておらず、タイマ６０は第１カウント時間Ｔ１及び第２カウント時間Ｔ２のカウントを行っていないとする。一方、ｔ０において、下りデータ信号Ｂを受信しており、かつ電力Ｅが送信回路１０及び受信回路２０に供給されているとする。
【００９６】
次に、ｔ１において、加入者側装置３００は、上りデータ信号Ａの送信を開始している。このとき、制御回路３０の送信制御部３１は、上りデータ信号Ａの送信が行われている旨を通知する信号、すなわち送信制御部稼働信号Ｓ３をタイマ６０へ送信する。
【００９７】
また、ｔ１では、加入者側装置３００は、下りデータ信号Ｂの受信を行っている。このとき、制御回路３０の受信制御部３５は、下りデータ信号Ｂの通信が行われている旨を通知する信号、すなわち受信制御部稼働信号Ｓ４をタイマ６０へ送信している。そして、既に説明したように、タイマ６０は、これら送信制御部稼働信号Ｓ３及び受信制御部稼働信号Ｓ４の受信時において、第１カウント時間Ｔ１のカウントを停止する。従って、ｔ１において、タイマ６０は、第１カウント時間Ｔ１のカウントを停止している。
【００９８】
次に、ｔ２において、加入者側装置３００は、下りデータ信号Ｂの受信を終了する。このとき、同時に、制御回路３０の受信制御部３５からタイマ６０への受信制御部稼働信号Ｓ４の送信が停止される。
【００９９】
また、ｔ２では、上述したｔ１において開始された上りデータ信号Ａの送信が継続している。従って、送信制御部３１は、タイマ６０へ送信制御部稼働信号Ｓ３を送信している。従って、タイマ６０は、送信制御部稼働信号Ｓ３を受信しているため、ｔ２において、第１カウント時間Ｔ１のカウントを停止している。
【０１００】
次に、ｔ３において、加入者側装置３００は、上りデータ信号Ａの送信を終了している。このとき、同時に、制御回路３０の受信制御部３５からタイマ６０への送信制御部稼働信号Ｓ３の送信が停止される。
【０１０１】
また、ｔ３では、加入者側装置３００は、下りデータ信号Ｂの受信を行っていない。そのため、このｔ３の時点において、加入者側装置３００は、上りデータ信号Ａの送信及び下りデータ信号Ｂの受信が双方ともに途絶える。従って、このｔ３の時点において、送信制御部３１からタイマ６０への送信制御部稼働信号Ｓ３、及び受信制御部３５からタイマ６０への受信制御部稼働信号Ｓ４が双方ともに停止される。その結果、ｔ３において、タイマ６０は、上りデータ信号Ａの送信及び下りデータ信号Ｂの受信が双方ともに途絶えたことを認識し、第１カウンタ部６１によって第１カウント時間Ｔ１のカウントを開始する。
【０１０２】
ここで、送信制御部稼働信号Ｓ３及び受信制御部稼働信号Ｓ４の送信停止を以って、上りデータ信号Ａ及び下りデータ信号Ｂの通信が途絶えた時点をタイマ６０に認識させる手段として、例えば周知の論理回路、またはソフトウェア等を用いるのが好ましい。
【０１０３】
次に、ｔ４において、加入者側装置３００は、下りデータ信号Ｂの受信を開始するとする。このとき、制御回路３０の受信制御部３５は、受信制御部稼働信号Ｓ４をタイマ６０へ送信する。その結果、タイマ６０は、ｔ４において、第１カウント時間Ｔ１のカウントを停止し、カウントされた第１カウント時間Ｔ１をリセットする。
【０１０４】
次に、ｔ５において、加入者側装置３００は、下りデータ信号Ｂの受信を終了するとする。このとき、同時に、制御回路３０の受信制御部３５からタイマ６０への受信制御部稼働信号Ｓ４の送信が停止される。
【０１０５】
また、ｔ５では、加入者側装置３００は、上りデータ信号Ａの送信を行っていない。そのため、上述したｔ３と同様に、このｔ５の時点において、加入者側装置３００は、上りデータ信号Ａの送信及び下りデータ信号Ｂの受信が双方ともに途絶える。従って、このｔ５の時点において、送信制御部３１からタイマ６０への送信制御部稼働信号Ｓ３、及び受信制御部３５からタイマ６０への受信制御部稼働信号Ｓ４が双方ともに停止される。その結果、ｔ５において、タイマ６０は、上りデータ信号Ａの送信及び下りデータ信号Ｂの受信が双方ともに途絶えたことを認識し、第１カウンタ部６１によって第１カウント時間Ｔ１のカウントを開始する。
【０１０６】
次に、ｔ６において、カウントされた第１カウント時間Ｔ１が、予め設定された第１時間を満了する。このとき、タイマ６０は、第１時間満了信号送信部６３によって、第１カウント時間Ｔ１が第１時間を満了した旨の信号、すなわち第１時間満了信号Ｓ５を制御回路３０へ送信する。そして、第１時間満了信号Ｓ５を受信した制御回路３０は、停止通知信号送信部３９によって局側装置２００へ停止通知信号Ｃを送信する。
【０１０７】
次に、ｔ７において、加入者側装置３００は、上述した停止通知信号Ｃに対する応答信号として、局側装置２００から送信される停止許可信号Ｄを受信している。既に説明したように、停止許可信号Ｄは、制御回路３０の停止許可信号受信部４１に入力される。
【０１０８】
次に、ｔ８において、加入者側装置３００は、上述した停止許可信号Ｄの受信を以って、制御回路３０の電力供給部３７から送信回路１０及び受信回路２０への電力Ｅの供給を停止する。
【０１０９】
また、このｔ８において、同時に、制御回路３０は、カウント開始信号Ｓ８をタイマ６０へ送信する。そして、このカウント開始信号Ｓ８を受信したタイマ６０は、第２カウンタ部６５によって第２カウント時間Ｔ２のカウントを開始する。
【０１１０】
次に、ｔ９において、カウントされた第２カウント時間Ｔ２が、予め設定された第２時間を満了する。このとき、タイマ６０は、第２カウント時間Ｔ２が第２時間を満了した旨の信号、すなわち第２時間満了信号Ｓ９を制御回路３０へ送信する。そして、第２時間満了信号Ｓ９を受信した制御回路３０は、電力供給部３７から送信回路１０及び受信回路２０への電力Ｅの供給を開始する。
【０１１１】
また、このとき、同時に、制御回路３０は、開始通知信号送信部４３によって、送信回路１０及び受信回路２０への電力供給が開始された旨を通知する信号、すなわち開始通知信号Ｓ０（Ｌ０）を局側装置２００へ送信する。
【０１１２】
また、ｔ９では、加入者側装置３００は、上りデータ信号Ａの送信及び下りデータ信号Ｂの受信を双方とも行っていないとする。従って、このｔ９の時点において、送信制御部３１からタイマ６０への送信制御部稼働信号Ｓ３、及び受信制御部３５からタイマ６０への受信制御部稼働信号Ｓ４が双方ともに停止されている。その結果、ｔ９において、タイマ６０は、上りデータ信号Ａの送信及び下りデータ信号Ｂの受信が双方ともに途絶えていることを認識し、上述したｔ３及びｔ５と同様に、第１カウンタ部６１によって第１カウント時間Ｔ１のカウントを開始する。
【０１１３】
次に、ｔ１０において、カウントされた第１カウント時間Ｔ１が、第１時間を満了する。このとき、タイマ６０は、上述したｔ６と同様に、第１時間満了信号送信部６３によって第１時間満了信号Ｓ５を制御回路３０へ送信する。そして、第１時間満了信号Ｓ５を受信した制御回路３０は、停止通知信号送信部３９によって局側装置２００へ停止通知信号Ｃを送信する。
【０１１４】
次に、ｔ１１において、加入者側装置３００は、上述したｔ７と同様に、局側装置２００から送信される停止許可信号Ｄを受信している。
【０１１５】
次に、ｔ１２において、加入者側装置３００は、上述したｔ８と同様に、停止許可信号Ｄの受信を以って、制御回路３０の電力供給部３７から送信回路１０及び受信回路２０への電力Ｅの供給を停止する。
【０１１６】
また、このｔ１２において、同時に、制御回路３０は、カウント開始信号Ｓ８をタイマ６０へ送信する。そして、このカウント開始信号Ｓ８を受信したタイマ６０は、第２カウンタ部６５によって第２カウント時間Ｔ２のカウントを開始する。
【０１１７】
次に、ｔ１３において、加入者側装置３００に、上りデータ信号Ａが入力されている。このとき、制御回路３０の電力供給部３７は、直ちに送信回路１０及び受信回路２０への電力Ｅの供給を開始し、電力が供給された送信回路１０によって入力された上りデータ信号Ａが送信される。
【０１１８】
また、このｔ１３では、制御回路３０は、送信制御部３１から送信制御部稼働信号Ｓ３をタイマ６０へ送信する。その結果、この送信制御部稼働信号Ｓ３を受信したタイマ６０は、第２カウンタ部６５のカウントを停止し、カウントされた第２カウント時間をリセットする。
【０１１９】
以上、説明したように、加入者側装置３００、すなわち実施の形態による通信装置では、上りデータ信号Ａ（Ｓ１；Ｌ１）及び下りデータ信号Ｂ（Ｓ２；Ｌ２）の双方を通信していない状態が設定した第１時間以上継続した場合において、送信回路１０及び受信回路２０の双方への電力供給を停止する。そのため、装置の非稼働時において、送信回路１０のみならず、受信回路２０に費やされる電力についても削減することができる。
【０１２０】
そして、実施の形態による通信装置では、装置の非稼働時において、送信回路１０及び受信回路２０の双方への電力供給を停止するため、発光素子のみならず、受光素子の消耗についても抑制することができ、その結果、装置全体の長寿命化を実現することができる。
【符号の説明】
【０１２１】
１０：送信回路
１１：発光素子
２０：受信回路
２１：受光素子
３０：制御回路
３１：送信制御部
３５：受信制御部
３７：電力供給部
３９：停止通知信号送信部
４１：停止許可信号受信部
４３：開始通知信号送信部
５０：電源装置
６０：タイマ
６１：第１カウンタ部
６３：第１時間満了信号送信部
６５：第２カウンタ部
６７：第２時間満了信号送信部
７０：第１インタフェース
８０：第２インタフェース
１００：光通信システム
２００：局側装置
３００：加入者側装置
４００：分配器
４１０：光ファイバ
５００：通信端末
Ｓ０：開始通知信号（電気信号）
Ｌ０：開始通知信号（光信号）
Ｓ１：上りデータ信号（電気信号）
Ｌ１：上りデータ信号（光信号）
Ｓ２：下りデータ信号（電気信号）
Ｌ２：下りデータ信号（光信号）
Ｓ３：送信制御部稼働信号（電気信号）
Ｓ４：受信制御部稼働信号（電気信号）
Ｓ５：第１時間満了信号（電気信号）
Ｓ６：停止通知信号（電気信号）
Ｌ３：停止通知信号（光信号）
Ｓ７：停止許可信号（電気信号）
Ｌ４：停止許可信号（光信号）
Ｓ８：カウント開始信号（電気信号）
Ｓ９：第２時間満了信号（電気信号）
【図１】
2010278524.tif 000003
【図２】
2010278524.tif 000004
【図３】
2010278524.tif 000005
【図４】
2010278524.tif 000006